(57)【特許請求の範囲】
【請求項１】
単管形状で中空部を有した上側内壁が顕微鏡の対眼レンズ部の片側端部に装着され、前記中空部内の下側直径が上側の直径に比べ広く形成されたリフレクターカバーと、
補助倍率レンズを内部に備え、前記リフレクターカバーの内側に装着された前記対眼レンズ部の下端部に続いて装着する補助倍率部とを設け、
前記リフレクターカバーの内側の壁と前記補助倍率部の外側の壁との間にランプを装着し、光が直接又は間接的に前記補助倍率部に誘導されることを防止することを特徴とする光学顕微鏡。
【請求項２】
前記対眼レンズ部の下側外壁には雄ネジ部を形成し、前記リフレクターカバーの上側内壁には前記雄ネジ部と締結する雌ネジ部を形成するとともに、前記補助倍率部の外側壁に前記リフレクターカバーの雌ネジ部と締結する雄ネジ部を形成することにより、前記対眼レンズ部、前記リフレクターカバー、及び前記補助倍率部の各々がネジ締結されていることを特徴とする請求項１記載の光学顕微鏡。
【請求項３】
前記リフレクターカバーの外側壁には、所定の位置に前記ランプの電源線を外側から内部に延在させて前記ランプに接続できるように貫通ホールを設けたことを特徴とする請求項２記載の光学顕微鏡。
【請求項４】
前記リフレクターカバーの内壁には、前記ランプを固定するための固定手段を設けたことを特徴とする請求項２記載の光学顕微鏡。
【請求項５】
前記ランプは、前記補助倍率部の下側端部に突出しないように所定の太さと長さとを有した単一のリング形状に形成されていることを特徴とする請求項１記載の光学顕微鏡。
【発明の詳細な説明】
【０００１】
【発明の属する技術分野】
本発明は光学顕微鏡に関するもので、より詳細には検査対象体の特定部位の形状を一定の倍率で拡大してその状態を確認または検査するのに使用される光学顕微鏡に関する。
【０００２】
【従来の技術】
従来、光学顕微鏡は、肉眼で識別が不可能である検査対象体の特定部位を一定の倍率に拡大し、その状態を確認または検査するのに使用される。
前述したように、検査対象体の特定部位を拡大するためには、まず、光学顕微鏡の構成要素であるランプを介して対物レンズの下側に設置した検査対象体の上面に向かって光を供給する。この光は、検査対象体の上面に照射されて反射する。
そして、検査対象体から反射された光は、対物レンズと補助倍率部とを経て対眼レンズ部に誘導されることによって作業者が容易に確認可能な形状に拡大される。
【０００３】
このような従来の光学顕微鏡を更に添付した図５〜図９を参照して説明する。図５は、従来の光学顕微鏡の構成及び組み立て構造を示す分解斜視図である。また、図６は、図５に示した光学顕微鏡を組み立てた状態を示す断面図である。また、図７は、図５に示したランプを示す平面図である。また、図８は、図７に示した矢印Ａの方向から見たランプの側面図である。更に、図９は、図７に示したランプの底面図である。
【０００４】
図５及び図６に示すように、従来の光学顕微鏡１０は、対眼レンズ部１２の下側の端部に補助倍率レンズ１４（図６参照）を備えた補助倍率部１６を装着している。この補助倍率部１６は、アダプタ１８とリフレクターカバー２０とによって対眼レンズ部１２の下側に装着される。そして、前述したリフレクターカバー２０の内側に装着した補助倍率部１６の下側には、図６に示したように、印加される電源によって、光を供給するランプ２２が設置されている。このランプ２２の下側には、下部に延在して誘導される光路の長さを補償する鏡筒（図面の単純化のために省略する）が設けられ、この鏡筒の下端部には封鎖するように対物レンズ部（図示せず）が装着されている。
【０００５】
一方、図７〜図９に示すように、前述したランプ２２は、所定の太さと長さとを有する管を円形状に屈曲させ、両側の端部を上側に屈曲させた後に再び一部曲げて略コ字状（図８参照）に屈曲させて形成されている。
また、前述したランプ２２の両側の端部には、電源線２４とそれぞれ連結される接点部２６とが形成されている。この接点部２６は、電源線２４を接続する際に対物レンズ部と補助倍率レンズ１４との間で、鏡筒の中心部を電源線２４が横切ることにより、対物レンズ部を介して誘導される光に影響を与えないように鏡筒の内周に沿ってリング形状に形成されている。
このように形成されたランプ２２の側部形状は、図８に示したように、上側と下側とが相互円環状に屈曲させた二重構造に形成されている。従って、リフレクターカバー２０（図６参照）は、このようなランプ２２の二重構造による側部厚さに合わせて延長することにより内部にランプ２２を収納する形状に形成されている。
【０００６】
このように形成された従来の光学顕微鏡１０は、ランプ２２により検査対象体の上面に光を供給することで、検査対象体から反射された光が対物レンズ部と補助倍率レンズ１４とを介して対眼レンズ部１２に誘導されることによって作業者が容易に確認可能な形状に拡大される。
【０００７】
【発明が解決しようとする課題】
しかしながら、従来の光学顕微鏡では、図６に示したランプ２２をリフレクターカバー２０の内側に装着した補助倍率部１６の下側に設置することで、この補助倍率部１６の補助倍率レンズ１４がランプ２２から供給される光を直接または間接的に補助倍率レンズ１４を介して対眼レンズ部１２に誘導してしまう。これにより検査対象体に照射して反射した光と、前述した補助倍率レンズ１４を介して対眼レンズ部１２に直接または間接的に誘導される光とが合光されて検査対象体が鮮明に観察されないという不具合があった。
また、前述したランプ２２が接点部２６をコ字状に屈曲させて二重構造に形成しており、この形状のランプ２２が補助倍率部１６の下側に続いて設置されるため、対眼レンズ部１２と対物レンズ部との間の間隔が必要以上に長く形成されてしまう。これによって、対物レンズ部の下側の作業空間が狭くなってしまい検査または確認作業の効率を低下させてしまう不具合があった。
さらに、前述したランプ２２、補助倍率部１６、及びリフレクターカバー２０の形状が複雑で組み立てが難しいため、組み立て及び解体による工程時間が増加してしまうという不具合があった。
【０００８】
本発明は前述した課題を解決し、検査対象体から反射される光以外に光が直接または間接的に補助倍率レンズに誘導されて影響を与えないようにするとともに、対物レンズ部を介して観察する検査対象体の形状を鮮明に拡大する光学顕微鏡を提供することを目的とする。
また、本発明の他の目的は、ランプの収納構造による対眼レンズ部と対物レンズ部との間の間隔を縮小させて対物レンズ部の下側の作業空間を拡張させることで検査または確認作業を容易に実行できる光学顕微鏡を提供することを目的とする。
そして、本発明の更なる他の目的は、組み立て構成を単純化させ、組み立て及び解体などの工程時間を短縮する光学顕微鏡を提供することを目的とする。
【０００９】
【発明を解決するための手段】
本発明は上述の課題を解決するために、本発明の光学顕微鏡は、単管形状で中空部を有した上側内壁が顕微鏡の対眼レンズ部の片側端部に装着されて中空部内の下側直径が上側の直径に比べ広く形成されたリフレクターカバーと、補助倍率レンズを内部に備えてリフレクターカバーの内側に装着された対眼レンズ部の下端部に続いて装着する補助倍率部とを設け、リフレクターカバーの内側の壁と補助倍率部の外側の壁との間にランプを装着し、光が直接又は間接的に前記補助倍率部に誘導されることを防止する。
ここで、対眼レンズ部の下側外壁には雄ネジ部を形成してリフレクターカバーの上側内壁には雄ネジ部と締結する雌ネジ部を形成するとともに補助倍率部の外側壁にリフレクターカバーの雌ネジ部と締結する雄ネジ部を形成することにより対眼レンズ部、リフレクターカバー、及び補助倍率部の各々がネジ締結されていることが好ましい。そして、リフレクターカバーの外側壁には所定の位置にランプの電源線を外側から内部に延在させてランプに接続できるように貫通ホールを設けることが望ましい。また、リフレクターカバーの内壁にはランプを固定するための固定手段を設け、ランプは補助倍率部の下側端部に突出しないように所定の太さと長さとを有した単一のリング形状に形成することが望ましい。
【００１０】
【発明の実施の形態】
次に、添付図面を参照して本発明による光学顕微鏡の実施の形態を詳細に説明する。図１は、本発明による光学顕微鏡の実施の形態の構成及び組み立て構造を示す分解斜視図である。また、図２は、図１に示した光学顕微鏡を組み立てた状態を示した断面図である。また、図３は、図１に示したランプを示す平面図である。また、図４は、図３に示した矢印Ｂの方向から見たランプを示す側面図である。
【００１１】
図１及び図２に示すように、本発明による光学顕微鏡３０は、対眼レンズ部３２の下端部の外壁に雄ネジ部が形成され、この対眼レンズ部３２の下側の端部にはリフレクターカバー３４が設置される。このリフレクターカバー３４は、単管形状で中空の上側内壁に前述した対眼レンズ部３２の雄ネジ部に締結される雌ネジ部が形成され、この雌ネジ部の下側には雌ネジ部の内径より大きく開口した中空部が設けてある。
【００１２】
また、リフレクターカバー３４の内側には、補助倍率レンズ３６（図２参照）を備えた補助倍率部３８が装着されている。この補助倍率部３８の外壁には、リフレクターカバー３４の上側内壁に形成した雌ネジ部と締結する雄ネジ部が形成されている。
従って、補助倍率部３８の上側端部は、図２に示したように、リフレクターカバー３４とネジ部により締結した際、対眼レンズ部３２の下側端部の内側に挿入されるように延長して形成されている。
【００１３】
一方、リフレクターカバー３４の内壁と補助倍率部３８の外壁との間には、ランプ４０が装着されている。このランプ４０は、図３及び図４に示したように、所定の厚さと長さとを有するリング形状に形成されている。また、ランプ４０は、リフレクターカバー３４と補助倍率部３８との間に所定の固定手段（図示せず）を設け、この固定手段により装着されている。
また、ランプ４０の両端部には、電源線４２がそれぞれ接続される接点部４４が形成され、この接点部４４は互いに接触しない限度内で近接した位置に設けられている。
【００１４】
再び、図１及び図２を参照して、前述したリフレクターカバー３４の所定面には、貫通ホール４６が形成されており、この貫通ホール４６を介して電源線４２が内部に延在してランプ４０の各端部に接続される。
【００１５】
このような構成による本発明の光学顕微鏡３０によれば、対眼レンズ部３２の下側端部に接続して設置されたランプ４０はリフレクターカバー３４の内側と補助倍率部３８の外側との間に位置していることでランプ４０から供給される光が直接または間接的に補助倍率レンズ３６に誘導されることを防止する。
また、単一のリング形状に形成されたランプ４０がリフレクターカバー３４と補助倍率部３８との間に設置されることにより、対眼レンズ部３２と対物レンズ部（図示せず）との間の間隔が縮小されて対物レンズ部の下側の作業空間が拡張される。これにより光学顕微鏡３０は、組み立て構造が単純になり組み立て及び解体が容易になる。
【００１６】
以上、本発明によってなされた光学顕微鏡の実施の形態を詳細に説明したが、本発明は前述の実施の形態に限定されるものではなく、その要旨を逸脱しない範囲で変更可能である。
例えば、対眼レンズ３２及び補助倍率部３８に雄ネジ部を設け、リフレクターカバー３４に雌ネジ部を設けた実施の形態を説明したが、これに限定されるものではなく、雄ネジ部と雌ネジ部とを逆に形成してもよい。
【００１７】
【発明の効果】
このように本発明の光学顕微鏡によれば、ランプが補助倍率部の側壁に位置することによって、ランプから供給された光が直接または乱反射によって補助倍率レンズに導入されることを防止し、検査対象体から反射された光のみが補助倍率レンズを介して対眼レンズ部に誘導されることで検査対象体を鮮明に観察できるという効果がある。
また、ランプをリフレクターカバーと補助倍率部との間に設けることで、対眼レンズ部と対物レンズ部との間隔が縮小して対物レンズの下側に作業空間が拡張されるため、検査または確認作業を容易に行うことが可能になる利点がある。
更に、構成を単純化することによって、組み立て及び解体が容易になり工程での作業時間が短縮される効果がある。
【図面の簡単な説明】
【図１】本発明による光学顕微鏡の実施の形態の構成及び組み立て構造を示す分解斜視図。
【図２】図１に示した光学顕微鏡を組み立てた状態を示した断面図。
【図３】図１に示したランプを示す平面図。
【図４】図３に示した矢印Ｂの方向から見たランプを示す側面図。
【図５】従来の光学顕微鏡の構成及び組み立て構造を示す分解斜視図。
【図６】図５に示した光学顕微鏡を組み立てた状態を示す断面図。
【図７】図５に示したランプを示す平面図。
【図８】図７に示した矢印Ａの方向から見たランプの側面図。
【図９】図７に示したランプを示す底面図。
【符号の説明】
３０  光学顕微鏡
３２  対眼レンズ部
３４  リフレクターカバー
３６  補助倍率レンズ
３８  補助倍率部
４０  ランプ
４２  電源線
４６  貫通ホール
【図１】
0003705698.tif 000002
【図２】
0003705698.tif 000003
【図３】
0003705698.tif 000004
【図４】
0003705698.tif 000005
【図５】
0003705698.tif 000006
【図６】
0003705698.tif 000007
【図７】
0003705698.tif 000008
【図８】
0003705698.tif 000009
【図９】
0003705698.tif 000010